(57)【要約】      （修正有）【課題】簡単な作業によって植栽デザインを立体的に表現でき、かつ専門用語や設計図面および複雑なパソコン操作を要することなく植栽デザインに関する情報を他人に伝達可能な植栽デザインツールを提供する。【解決手段】植栽対象（花壇など）の平面図が記された植栽デザインシート１と、植材（花など）の群植（同種の植材を一定の場所に複数本植えること）を表す要素であって植栽デザインシート１上に着脱自在に載置される有色（花の色に合わせた色）の植材ピース１０、１１および１２と、植材を立体的に表現する植材模型２０、２１および２２と、を含む植栽デザインツールＴを用いて立体的に植栽デザインを表現する。【選択図】図１
2020115828.tif 000002
【特許請求の範囲】
【請求項１】
植栽対象の平面図が記された植栽デザインシートと、
植材の群植を表す要素であって前記植栽デザインシート上に着脱自在に載置される有色の植材ピースと、
前記植材を立体的に表現する植材模型と、
を含む植栽デザインツール。
【請求項２】
請求項１に記載の植栽デザインツールであって、
前記植材模型は、前記植材の丈に応じて決定される高さを有する、
植栽デザインツール。
【請求項３】
請求項１または２に記載の植栽デザインツールであって、
前記植材模型は、逆錘状部分を有し、この逆錘状部分の天端に前記植材の写真または図柄が表示されている、
植栽デザインツール。
【請求項４】
請求項１乃至３のいずれかに記載の植栽デザインツールであって、
植栽する植材を平面的に表示する植材カードをさらに含み、
前記植材カードは、前記植材と同じ色を有し、かつ前記植材の高さに比例した上下寸法を有する写真または図柄が表面に表示されている、
植栽デザインツール。
【請求項５】
少なくとも、
植栽対象の平面図が記された植栽デザインシートと、
植材の群植を表す要素であって前記植材の色に応じた色を有し前記植栽デザインシート上に着脱自在に載置される複数種類の植材ピースと、
前記植材ピースによって表現される植材を立体的に表現する植材模型と、を用意し、
前記植栽デザインシート上に前記複数種類の植材ピースを配置して植栽デザインを行う植栽デザインステップと、
前記植栽デザインシート上に配置した植材ピースに対応する植材模型を、前記配置した植材ピースの位置と整合させながら配置する植材模型配置ステップと、
を有することを特徴とする植栽デザインツールの使用方法。
【発明の詳細な説明】
【技術分野】
【０００１】
本発明は、花壇や庭の植栽デザインを支援するツール、より具体的には、植栽される花等の色彩、配置および植栽範囲等のデザインを自由に設計・変更することができるツールであって、施工前に所望の植栽デザインのイメージを視認可能な形で表現することができる植栽デザインツール及びその使用方法に関するものである。
【背景技術】
【０００２】
花壇や庭等の植栽のデザインを適正に行うためには、植栽に携わる複数の関係者の間で植栽デザインに関する情報を伝え合う必要がある。従来は、専門用語を含む言葉や設計図面、またはコンピュータ（設計用ソフトウェア）を用いて情報の伝達が行われていた。しかし、このような、従来の植栽デザインの実施方法においては、以下に示す問題点（イ）ないし（ハ）があった。
【０００３】
（イ）花壇や庭の植栽デザインを行い、この植栽デザインに関する情報を他人に伝えるためには、花などの植物に関する知識や園芸に関する知識、さらには造園に関する知識が必要であり、未経験者にとって植栽デザインに参加すること自体が容易でない。
【０００４】
（ロ）植栽デザインは、私人から委託を受けた専門業者によって行なわれ、または公共花壇を設置する際に市民の手で行われるなど、様々な状況の下で実施されるが、いずれの場合においても、知識や経験の異なる複数の関係者の間で、専門用語を含む言葉や設計図面を交えながら作業を進めていく必要がある。このため、未経験者のみならず経験者にとっても、周囲の者との意思疎通が容易でない。
【０００５】
（ハ）近年は、地域住景観に関する取り組みの一環として市民活動による公共花壇づくりが広く行われているが、前記問題点（イ）および（ロ）が障壁となって参加者の幅が狭められている。
【０００６】
そこで本発明者は、前記問題点（イ）ないし（ハ）を解消するために、植栽される花などの植物（以下、植栽される花などの植物を「植材」という。）に関する知識や園芸に関する知識を持たない者であっても、花壇や庭（以下、これら花壇や庭のように、前記植材を植えて植栽デザインが施される領域を、「植栽対象」という。）の植栽デザインに関する具体的イメージを視認可能な形で簡単に具現化することのできるツールとして、特許文献１に示す植栽デザインツールを創作した。
【０００７】
この植栽デザインツールは、植栽対象である花壇等の平面図が簡易的に表された植栽デザインシート（１）と、このデザインシート（１）の上に着脱自在に載置されるセロハンピース（９、１０、１１）と、植栽する植材の情報が表示された花材カード（１２）とから構成されている。
【０００８】
前記植栽デザインシート（１）の表面には、植栽デザインに必要な花壇の状況や、植材を植える間隔（１株の植材を植える領域）を示すグリッド（格子）等が記されており、一方前記花材カード（１２）の表面には、植材の高さに比例した上下寸法を持つ写真（１３）が載置されている。また、前記セロハンピース（９、１０、１１）は、同種の植材が複数植えられた（以下、同種の植材を一定の場所に複数本植えることを、「群植」という。）領域であって、植栽対象である花壇等を所定の距離から眺めたときに、群植された植材の色彩が一つの塊として視認できる最小面積の領域を表す要素である。
【０００９】
前記構成からなる植栽デザインツールによれば、デザインシート（１）上にセロハンピース（９、１０、１１）および花材カード（１２）を配置するだけの簡単な作業によって、使用者がイメージする植栽デザインを視認可能な形で表現することができる。このため、植物や園芸に関する知識や経験の乏しい者であっても、この植栽デザインツールを用いることで自身の植栽デザインについてイメージを簡単に表現することができるようになる。この結果、専門用語を含む言葉や設計図面および複雑なパソコン操作を要せずとも、周囲の者と植栽デザインに関する情報を共有することができるようになり、前記問題点（イ）ないし（ハ）を解消することができる。
【先行技術文献】
【特許文献】
【００１０】
【特許文献１】実用新案登録第３１９８１２２号公報
【発明の概要】
【発明が解決しようとする課題】
【００１１】
特許文献１に記載の植栽デザインツールによれば、前述したように、簡単な作業によって自分がイメージする植栽デザインを視認可能な形で表現することができるようになる。しかし、前記植栽デザインツールにあっては、その表現内容が平面的なものにとどまり、立体物を表現するツールとしては十分でないといった問題、特に、植物の高さに関する情報（イメージ）が十分に表現できないといった問題がある。
【００１２】
本発明は、前記問題に鑑み創作された発明であって、その目的は、誰もが簡単な作業によって自身が思い描く植栽デザインを視認可能かつ立体的に表現でき、かつ専門用語や設計図面および複雑なパソコン操作を要することなく植栽デザインに関する情報を他人に伝達することのできる植栽デザインツール及びその使用方法を提供することにある。
【課題を解決するための手段】
【００１３】
本発明は、植栽対象の平面図が記された植栽デザインシートと、植材の群植を表す要素であって前記植栽デザインシート上に着脱自在に載置される有色の植材ピースと、前記植材を立体的に表現する植材模型と、を含むことを特徴とする植栽デザインツールである。
このような特徴を有する植栽デザインツールによれば、植栽デザインシートおよび植材ピースを用いた平面的な表現に加え、植材模型を用いた立体的な表現を伴う植栽デザインを行うことができるので、植栽デザインをより実際のものに近いデザインとして把握することができる。
なお、前記有色の植材ピースとは、群植される同種の植材の色彩を有した植材ピースを意味する。
【００１４】
また、本発明は、前記特徴に加え、前記植材模型が前記植材の丈に応じて決定される高さを有するように構成してもよい。
植材模型が植栽の丈に応じた高さを有することで、複数の植材を用いて植栽デザインを行う際、植材同士の相対的な高さの違いが視認可能となり、実物に近い形で植栽デザインをイメージ及び伝達することができる。
花壇などの植栽対象は、一般に、これを側方（斜め上方）から鑑賞することが多いので、立体的な高低を有する表現を伴う植栽デザインは非常に効果的である。さらに、高低差を間違えると蒸れて枯れる原因になって実際の植栽として成立しなくなる虞があるが、これを防止することも可能になる。
即ち、高低差を間違えると、植栽デザインとしても、実際の植栽としても成立しなくなるが、本発明によれば、これらのいずれも成立させることが可能になる。
なおさらに、前記植栽デザインシートの表面に前記植材が植栽される領域を区分するグリッド（格子）を記し、また前記植材ピースが前記群植の最小面積に対応した大きさを有するように構成することが好ましい。
前記グリッド（格子）を備えることで、植栽対象の大きさ（面積）を具体的に把握し易くなる。グリッドによって区画される領域としては、植栽の１株の領域が好ましいが、これに限定されず、グリッドの間隔、設定はこれを変えることもできる。
【００１５】
また、本発明は、前記特徴に加え、前記植材模型が逆錘状部分を有し、この逆錘状部分の天端に前記植材の写真または図柄が表示されているといった特徴を備えていてもよい。
植材の実物の形状に近い逆錘状を呈した前記植材模型を用いることで、植栽デザインの立体感が実物に近い形で強調され、植栽デザインをより具体的イメージで立体的に表現することができる。
【００１６】
また、本発明は、前記特徴に加え、植栽する植材を平面的に表示する植材カードをさらに含み、前記植材カードは、前記植材と同じ色を有し、かつ前記植材の高さに比例した上下寸法を有する写真または図柄が表面に表示されている、といった特徴を備えていてもよい。
このような特徴を備えることで、さらに実物に近い形で植栽デザインをイメージすることができる。
またこのとき、植栽デザインシートと前記植材カードとに同一の表面処理が施されていることが好ましい。
【００１７】
また、本発明は、前記特徴に加え、前記植栽デザインシートに前記植栽対象の周辺状況を表すことが好ましい。
このような構成を備えることで、周辺状況も含めた形で植栽デザインをイメージすることができる。  
【００１８】
また、本発明は、少なくとも、植栽対象の平面図が記された植栽デザインシートと、植材の群植を表す要素であって前記植材の色に応じた色を有し前記植栽デザインシート上に着脱自在に載置される複数種類の植材ピースと、前記植材ピースによって表現される植材を立体的に表現する植材模型と、を用意し、前記植栽デザインシート上に前記複数種類の植材ピースを配置して植栽デザインを行う植栽デザインステップと、前記植栽デザインシート上に配置した植材ピースに対応する植材模型を、前記配置した植材ピースの位置と整合させながら配置する植材模型配置ステップと、を有することを特徴とする植栽デザインツールの使用方法である。
このような特徴を有する植栽デザインツールの使用方法によれば、植栽デザインシートおよび植材ピースを用いた平面的な表現に加え、植材模型を用いた立体的な表現を伴う植栽デザインを容易かつ確実に行うことができる。これによって、植栽デザインをより実際のものに近いデザインとして把握することができる。
【発明の効果】
【００１９】
本発明によれば、専門用語を含む言葉や設計図面および複雑なパソコン操作を要することなく、デザインシート上に植材ピースおよび植材模型を配置するだけの簡単な作業によって、植栽デザインを視認可能かつ立体的に表現することができる。即ち、植栽デザインのイメージを表現できる。また人に伝達することが容易になり、ファシリテーションを推進できる。また植材模型により高低差の確認ができ、より実際に成立する植栽デザイン（植栽計画）となる。
【図面の簡単な説明】
【００２０】
【図１】植栽デザインツールＴの概要を示す図である。
【図２】植栽デザインシート１を示す平面図である。
【図３】植材ピース１０，１１，１２を示す図であって、（ａ）は赤色の植材ピース１０、（ｂ）は黄色の植材ピース１１、（ｃ）は青色の植材ピース１２を示す図である。
【図４】植材模型２０，２１，２２を示す図であって、（ａ）は赤色の植材模型２０、（ｂ）は黄色の植材模型２１、（ｃ）は青色の植材模型２２を示す図である。
【図５】植材カード３０，３１，３２を示す図であって、（ａ）は赤色の植材カード３０、（ｂ）は黄色の植材カード３１、（ｃ）は青色の植材カード３２を示す図である。
【図６】植栽デザインツールＴの一使用方法の手順を示すフロー図である。
【図７】植栽デザインツールＴを用いた実施例を示す図である。
【図８】図７における植栽デザインシート１の一部拡大図である。
【発明を実施するための形態】
【００２１】
図１ないし図８を参照しながら、本発明に係る実施の形態を説明する。なお、説明文中の上下および左右は、参照する図面に示された内容を基準に定義されるものとする。
【００２２】
<植栽デザインツールＴの構成>
はじめに、本実施の形態に係る植栽デザインツールＴの構成について、図１ないし図５を参照しながら説明する。
【００２３】
植栽デザインツールＴは、図１に示すように、植栽デザインシート１と、植材ピース１０、１１および１２と、植材模型２０、２１および２２と、植材カード３０、３１および３２とから主に構成されている。
【００２４】
植栽デザインシート１は、植栽デザインを施す対象領域である植栽対象の平面図が記されたシートであって、例えば、略Ａ２サイズの横長の略長方形を呈した紙製シートまたは樹脂製シートからなり、好ましくは、表面にラミネート加工が施されている。ラミネート加工が施されることで、例えば、植栽デザインシート１上へ載置される植材ピース１０、１１および１２がセロハン製の場合に、その着脱が静電気によって簡単かつ確実に行うことができるようになり、また、同じく詳細については後述する植材カード３０、３１および３２との統一感を生み出すことができる。
【００２５】
なお、植栽デザインシート１とセロハン製の植材ピース１０、１１および１２とが静電気で付着することで、完成した植栽デザインの平面図をカラーコピーすることが容易となる。このため、１つの植栽デザインを（暫定的に）完成させた後に、植栽デザインシート１と植材ピース１０、１１および１２とを含む平面図をカラーコピーして保存し、次に別の植栽デザインを（暫定的に）完成させてカラーコピーすることを繰り返すことができる。これにより、１つの植栽デザインツールＴを用いて異なる数種の植栽デザインを作成・保存し、そののちこれら数種の植栽デザインを比較してその中から最適なデザインを選定するなど、その活用の幅を広げることができる。
【００２６】
植栽デザインシート１の表面１ａには、図２に示すように、植栽対象である花壇２と、花壇２の周囲に配設されているベンチ等の設置物３、園路４および樹木５といった周辺状況が表示されており、さらに、植栽対象である花壇２の内側に、複数の垂直線と水平線とによって形成された複数のグリッド（格子）６が記されている。このグリッド（格子）６は、１株の植材が植栽される領域を区分するものであって、１マスが、２５ｃｍ四方の領域面積に対応した大きさで記されている。このため、直径が略３０マスで区分けされた図２に示される花壇３は、直径が略７．５ｍで面積が略４４ｍ２の円形花壇ということになる。なお、植栽対象の面積を、２５０ｍ２程度（直径略１８ｍの円形の花壇等）にまで拡大してもよい。グリッド６の寸法は変更可能であり、例えば２０ｃｍ四方の領域面積に対応した大きさなどで記してもよい。
【００２７】
植栽デザインシート１の表面１ａには、前記各種周辺状況に加え、後述するように、植栽デザインを行う上で特に考慮すべき視認方向Ｐを、矢印等を用いて書き記してもよい（図７参照）。
【００２８】
なお、前記植栽対象の周辺の情報（周辺状況）は、例えばカラー印刷を用いて表面１ａに表現されるが、これに限定されるわけではない。また、植栽対象の周囲に配設されているベンチなどの設置物３、園路４および樹木５等を、写真を用いて表現してもよい。
【００２９】
植材ピース１０、１１および１２は、植栽された花壇２を所定の距離から眺めた際、同種または同色の植材が群植された領域が所定の色彩（主としてその植材の花の色彩）の塊（所定の色彩を放つ一群）として視認できる様子を表す要素であり、その大きさ（面積）は、例えば植栽デザインにおける群植の最小面積に対応して決定される。植材ピース１０、１１および１２は、例えば有色のセロハンから形成されている。
【００３０】
植材ピース１０、１１および１２は、植栽される種々の植材、例えば、赤色の花の植材、黄色の花の植材および青色の花の植材の各色彩（より具体的には、これら植材の群植が発する各色彩）に対応できるように、例えば、植材ピース１０は赤色、植材ピース１１は黄色、植材ピース１２は青色にそれぞれ着色されている。また、群植される様々な形に対応できるよう種々の形状、例えば、図３に示すように、植材ピース１０ａ、１１ａおよび１２ａは円形、植材ピース１０ｂ、１１ｂおよび１２ｂは三角形、植材ピース１０ｃ、１１ｃおよび１２ｃは四角形をそれぞれ呈している。植材ピースの形状や色の種類は、前述したものに限定されるわけではなく、必要に応じて他の形状や色を有する植材ピースに変更または植材ピース１０、１１および１２に追加してもよい。
【００３１】
植材模型２０、２１および２２は、植栽される植材を立体的に表現する要素である。植材模型２０、２１および２２は、無色透明で、その上面（天端）にセロハンと写真が設置されている。セロハンは有色で、写真はセロハンの上に重ねられ、これらセロハンと写真は前記植材模型２０、２１および２２を構成する合成樹脂内にインサート成形されている。即ちセロハンと写真の上には、薄く透明な合成樹脂の層が形成されている。植材ピース１０、１１および１２と同様に、植栽される種々の植材、例えば、赤色の花の植材、黄色の花の植材および青色の花の植材の各色彩（より具体的には、これら植材の群植が発する各色彩）に対応できるように、例えば、植材模型２０のセロハンは赤色、植材模型２１のセロハンは黄色、植材模型２２のセロハンは青色にそれぞれ着色されている。即ち、各植材模型２０の上面は、植材の色彩に合わせた色彩となっている。また、植栽される種々の植材の実際の丈に対応できるように、その高さが異なっている。例えば、実際の植材の丈に比例する高さなどにする。なお、これら植材模型２０、２１および２２の基本形態は、セロハンの色と写真の内容と高さを除いて共通である。
【００３２】
以下、植材模型２０，２１，２２を代表して植材模型２０の構成について説明すると、植材模型２０は、図４（ａ）に示すように、例えば本体部分２０ａと足部２０ｂとを備え、透明な合成樹脂、例えばアクリルによって形成されている。
【００３３】
本体部分２０ａは、逆錘状を呈しており、特許請求の範囲に記載の「逆錘状部分」を形成している。また、その天端（上面）２０ｃには、セロハンからなる色付きシートと植栽される植材の写真２０ｄが設置され、その上面は本体部分２０ａを構成する透明な合成樹脂がこれを覆っている。色付きシートの色は、植材（主としてその花）の色と同一となるように構成されている。なお、本体部分２０ａの形状は、逆錘状に限定されるわけではなく、おおよそ植材を立体的に表現し得る形状であれば他の形状でもよく、例えば錘状または柱状であってもよい。但し、本実施の形態に係る逆錘状の本体部分２０ａは、一般的な植材の実物の形状に近く、植栽デザインの立体感が実物に近い形で強調されるので、特に好適である。
【００３４】
植材模型２０の高さ２０Ｈは、写真２０ｄによって表された植材の実際の丈に対応（例えば比例）するように決定される。この高さ２０Ｈと実際の丈ＨＲとのスケール比Ｋ２（Ｋ２＝高さ２０Ｈ／丈ＨＲ）と、他の植材模型２１，２２それぞれのスケール比Ｋ２とを同一にすることによって、植栽される種々の植材の実際の丈に対応する高さとなる。
【００３５】
なお、本体部分２０ａの天端２０ｃに設置される写真２０ｄを手書きの図柄等に替えてもよい。また、本体部分２０ａの側面２０ｅに植材（花）の写真や図柄を貼り付けるなどして表示してもよい。さらに、本体部分２０ａの天端２０ｃまたは側面２０ｅに植材に関する情報、例えば、その種類（名称）や草丈の数値を表示してもよい。但し、側面２０ｅに何ら装飾を施さず透明なままとする方が、デザインを行う人に対する情報を極力少なくすることができ、デザインを考えることの邪魔にならず、デザインのための情報の認知が楽になる。
【００３６】
植材カード３０、３１および３２は、植栽される植材を平面的に表現する要素であって、植材ピース１０、１１および１２、ならびに植材模型２０、２１および２２と同様に、植栽される種々の植材、例えば、赤色の花の植材、黄色の花の植材および青色の花の植材の各色彩（より具体的には、これら植材の群植が発する各色彩）に対応できるように、例えば、植材カード３０は赤色、植材カード３１は黄色、植材カード３２は青色にそれぞれ着色されている。また、植栽される種々の植材の実物の丈に対応できるように、各々に挿入される植材の写真３０ｃ，３１ｃ，３２ｃの高さ（上下寸法）が異なっている（図５参照）。なお、これら植材カード３０、３１および３２の基本形態は、色と挿入される写真３０ｃ，３１ｃ，３２ｃとそれらの高さ（上下寸法）を除いて共通である。
【００３７】
以下、植材カード３０，３１，３２を代表して、植材カード３０の構成について説明する。この植材カード３０は、図５（ａ）に示すように、例えば、紙または樹脂からなる平板状の本体部３０ａと、この本体部３０ａの表面に覆設されたカバー部３０ｂとを有して構成される。さらに、本体部３０ａとカバー部３０ｂとの間に、表現する植材の写真３０ｃが挿入できるように構成されている。
【００３８】
本体部３０ａは、その表面の色を、表現する植材の花の色と同色とすることが望ましい。
なお、植材（花）の色と同色のセロハンシートを別途用意し、このセロハンシートを本体部３０ａとカバー部３０ｂとの間に挿入するように構成してもよい。また、本体部３０ａの裏面に、植材に関する情報（種類、草丈の数値等）を記してもよい。
【００３９】
カバー部３０ｂは、透明な素材からなり、他の構成要素と視覚的および触覚的な統一感を持たせるために、例えば植材ピース１０、１１および１２と同一の素材であってもよい。また、カバー部３０ｂは、植栽デザインシート１と同様のラミネート加工によるものであってもよい。
【００４０】
本体部３０ａとカバー部３０ｂとの間に挿入される写真３０ｃは、その高さ（上下寸法）３０Ｈが、表現する植材の丈ＨＲに対応するように決定される。この高さ３０Ｈと実際の丈ＨＲとのスケール比Ｋ３（Ｋ３＝高さ３０Ｈ／丈ＨＲ）と、他の植材カード３１，３２の写真３１ｃ，３２それぞれのスケール比Ｋ３とを同一にすることによって、植栽される種々の植材の実際の丈に対応する（比例する）高さとなる。
【００４１】
<植栽デザインツールＴの使用方法>
次に、前記構成からなる植栽デザインツールＴを用いた植栽デザインの実施方法について説明する。この植栽デザインツールＴを用いた植栽デザインは、例えば図６に示す手順を経て実施される。
【００４２】
なお、以下の説明では、赤色の花の植材、黄色の花の植材および青色の花の植材を用いて植栽デザインを行うこととし、植材ピース１０、植材模型２０および植材カード３０は、赤色の花の植材およびその群植を表し、植材ピース１１、植材模型２１および植材カード３１は、黄色の花の植材およびその群植を表し、植材ピース１２、植材模型２２および植材カード３２は、青色の花の植材およびその群植を表すものとする。また、植材ピース１０、１１および１２については、図３に示すように、赤色円形植材ピース１０ａ、黄色円形植材ピース１１ａおよび青色円形植材ピース１２ａ、赤色三角形植材ピース１０ｂ、黄色三角形植材ピース１１ｂおよび青色三角形植材ピース１２ｂ、ならびに赤色四角形植材ピース１０ｃ、黄色四角形植材ピース１１ｃおよび青色四角形植材ピース１２ｃがそれぞれ用意されているものとする。
【００４３】
まず、使用者は、植栽デザインシート１を広げてこれを机上等に載置する（第１のステップＳ１、シート設置ステップ）。花壇２の内側には、上述のように、グリッド（格子）６が記されている。グリッド（格子）６があることで、使用者は、１株の植材が植栽される領域の大きさ、植栽対象である花壇２の大きさおよび周辺の設置物の大きさを把握することができ、これによって、植栽デザインがイメージし易くなっている。
【００４４】
なお、使用者は、図７に示すように、必要に応じて、植栽デザインを行う上で特に考慮すべき視認方向Ｐを、矢印等を用いて植栽デザインシート１の表面１ａ上に書き記してもよい。
【００４５】
次に、使用者は、植材カード３０、３１、３２を、前記植栽デザインシート１上の任意の場所（例えば使用者が見易い位置）に配置する（第２のステップＳ２）。これによって、デザインを始める前に、今回のデザインに使用する植材を、使用者がより具体的に把握できる（植材把握ステップ）。またこのタイミングであれば、用意された植材よりも少ない種類の植材を選び取ることなども可能になる。
【００４６】
次に、使用者は、机上に広げられた植栽デザインシート１の上に、赤色の植材、黄色の植材および青色の植材に対応する植材ピース１０（１０ａ，１０ｂ，１０ｃ）、１１（１１ａ，１１ｂ，１１ｃ）、１２（１２ａ，１２ｂ，１２ｃ）を配置していく（第３のステップＳ３、植栽デザインステップ）。
【００４７】
例えば、図７および図８に示すように、花壇２の中央部に位置する４マス四方の領域に、赤色四角形植材ピース１０ｃを配置する。ここで、1マスは、前述したように、１株の植材が植えられる２５ｃｍ四方の領域に相当することから、実際には、花壇２の略中央部の１ｍ四方の領域に１６本の赤色の植材を植栽（群植）することになる。
さらに、この赤色四角形植材ピース１０ｃの上下に位置する領域に、それぞれ赤色円形植材ピース１０ａを配置し、前記赤色四角形植材ピース１０ｃの左右に位置する領域にそれぞれ青色円形植材ピース１２ａを配置する。
さらにこれら赤色，青色円形植材ピース１０ａ，１２ａの外側に位置する領域に、それぞれ４枚の赤色三角形植材ピース１０ｂからなる1群、４枚の黄色三角形植材ピース１１ｂからなる1群、４枚の青色三角形植材ピース１２ｂからなる1群、および２枚の赤色三角形植材ピース１０ｂと２枚の黄色三角形植材ピース１１ｂとからなる１群をそれぞれ配置する。
【００４８】
なお、異なる色の植材ピース１０、１１、１２が重なる部分（図では示していない）は、いずれか一方の１つの色の植材を植栽し、または両植材を混在させて植栽することとする。
また、必要に応じて植材ピース１０、１１、１２を、重なり合わないように、所定の形にカットしてもよい。
【００４９】
次に、使用者は、これら植材ピース１０、１１、１２によって表現された植材を表す植材模型２０、２１、２２を、配置した植材ピース１０、１１、１２と整合させながら所定の位置に配置していく（第４のステップＳ４、植材模型配置ステップ）。
【００５０】
植材模型２０、２１、２２は、例えば以下のようにして配置される。すなわち、植材模型２０、２１、２２は、１組ずつ用意されており、赤色の植材、黄色の植材および青色の植材の群植をそれぞれ表現する植材ピース１０、植材ピース１１および植材ピース１２が配置された場所に、植材模型２０、２１、２２が配置される。植材ピース１０、植材ピース１１および植材ピース１２が複数の異なる場所に点在する場合、すなわち、同色の植材が群植された場所が複数箇所に点在している場合は、最も面積が大きい場所に、植材模型２０、２１、２２が配置される。
【００５１】
図７および図８に示す例では、植材ピース１０を用いて表現される郡植のうち、最大面積を有する領域（主要領域）上に植材模型２０が配置され、植材ピース１１を用いて表現される郡植のうち、最大面積を有する領域（主要領域）上に植材模型２１が配置され、植材ピース１２を用いて表現される郡植のうち、最大面積を有する領域（主要領域）上に植材模型２２が配置されている。また図７、図８に示すように、植材ピース１０を用いて表現される郡植のうち、最大面積を有する領域（主要領域）の近傍に植材カード３０を配置し、植材ピース１１を用いて表現される郡植のうち、最大面積を有する領域（主要領域）近傍に植材カード３１を配置し、植材ピース１２を用いて表現される郡植のうち、最大面積を有する領域（主要領域）近傍に植材カード３２を配置してもよい。
【００５２】
次に、使用者は、第１のステップＳ１ないし第４のステップＳ４を経ることで表現された植栽デザインが、自身の思い描くデザインであるか否かを判定する（第５のステップＳ５、デザイン判定ステップ）。
植栽デザインシート１上に表現された植栽デザインが、使用者の思い描くデザインであれば、一連の作業は終了する。他方、植栽デザインシート１上に表現された植栽デザインが、使用者の思い描くデザインでなければ、従前の第２のステップＳ２ないし第４のステップＳ４（または第３のステップＳ３および第４のステップＳ４）を繰り返す。
【００５３】
以上のステップを経ることで、使用者の思い描く植栽デザインが、視認可能な形、すなわち、植栽デザインシート１上に植材ピース１０、１１および１２、植材模型２０、２１および２２、場合によってはさらに植材カード３０、３１および３２が載置された形で具現化される。
【００５４】
<植栽デザインツールＴの効果>
本発明の実施の形態である植栽デザインツールＴを用いれば、デザインシート１上に植材ピース１０、１１および１２、植材模型２０、２１および２２、場合によってはさらに植材カード３０、３１および３２を配置するだけの簡単かつ直感的な作業によって、使用者がイメージする植栽デザインを視認可能かつ立体的な形で表現することができる。このため、植材（花）や園芸に関する専門知識のない者であっても、楽しみながら、簡単かつ確実に植栽デザインを作成することができる。
【００５５】
特に、植材模型２０、２１および２２を用いて立体的表現が可能になることで、草丈の面から植材の選択またはその配置を検討することができるといった、平面的表現のみでは招来されることのない効果がもたらされる。例えば、植栽対象である花壇２の中央から周縁に向かうにしたがって植材の草丈が次第に低くなっていく植栽デザインにおいて、隣接する２つの植材の草丈に不自然な高低差があるか否かを、作成中の植栽デザインツールＴを水平方向から見ることで確認することができるようになる。これにより、草丈が連続的に変化するデザインに対して最適な植材の選択またはその配置を検討することができる。また、高低差を間違えて蒸れて枯れることが無いように考慮しながら、高低差をデザインすることも可能になるので、植材模型２０、２１および２２の使用は有効である。
【００５６】
また、専門用語を含む言葉や設計図面および複雑なパソコン操作を要することなく、視認可能かつ立体的な形で植栽デザインを表現することができるため、前述したような問題点、すなわち、（イ）花壇や庭の植栽デザインを行い、または植栽デザインに関する情報を他人に伝えるためには、植材（花）や園芸に関する知識が必要であり、未経験者にとって植栽デザインに参加すること自体が容易でない。（ロ）植栽デザインは、依頼を受けた専門業者によって私的に行なわれ、または公共花壇を設置する際に市民の手で行われるなど、様々な状況の下で実施されるが、いずれの場合においても、専門用語を含む言葉と図面とを交えながら知識および経験が異なる複数の者の間で作業を進める必要がある。このため、未経験者のみならず経験者にとっても、周囲の者との意思疎通が容易でない。（ハ）近年は、地域住景観に関する取り組みの一環として市民活動による公共花壇づくりが広く行われているが、前記問題点（イ）および（ロ）が障壁となって参加者の幅が狭められている。といった問題点を解消することができる。
【００５７】
さらに、植栽デザインシート１上に、植材ピース１０、１１および１２、植材模型２０、２１および２２、場合によってはさらに植材カード３０、３１および３２を自在に配置できるため、思考錯誤を繰り返すなかで、何度でも植栽デザインを試みることができる。
【００５８】
また、植栽デザインシート１と植材ピース１０、１１および１２とが静電気で付着していることから、完成した植栽デザインの平面図（植栽デザインシート１から前記植材模型２０，２１及び２２を取り除いたもの）をカラーコピーすることが容易となる。このため、１つの植栽デザインツールＴを用いて、植栽デザインを作成する度にそれぞれコピーしておき、事後的にこれら複数の植栽デザインの中から最適なデザインを選定するなどの活用方法が可能になる。
【００５９】
上記完成した植栽デザイン（そのカラーコピーなど）のデザイン図は、そのまま実際の植え付け図面として使用することができる。また上記完成した植栽デザイン（そのカラーコピーなど）のデザイン図には、グリッド６が表示されているので、これらグリッド６により苗の数を簡単に把握することができ、植え付けに不慣れな人であっても、苗の発注がし易くなる。
【００６０】
以上、本発明の実施の形態を説明したが、本発明は前記実施の形態に限定されるものではなく、特許請求の範囲、および明細書と図面に記載された技術的思想の範囲内において種々の変形が可能である。例えば、上記実施の形態で用いた植栽デザインシートのサイズを変更したり、また、用いる植材ピースや植材模型の形状、大きさ、色の種類を適宜変更したりすることもできる。また、直接明細書および図面に記載がない何れの構成であっても、本発明の作用・効果を奏する以上、本発明の技術的思想の範囲内である。さらに、前記記載および各図で示した実施の形態は、その目的および構成等に矛盾がない限り、互いの記載内容を組み合わせることが可能である。加えて、前記記載および各図の記載内容は、その一部であっても、それぞれ独立した実施の形態になり得るものであり、本発明の実施の形態は前記記載および各図を組み合わせた一つの実施の形態に限定されるものではない。
【符号の説明】
【００６１】
１  植栽デザインシート
２  花壇
３  設置物
４  園路
５  樹木
６  グリッド（格子）
１０、１１および１２  植材ピース
２０、２１および２２  植材模型
３０、３１および３２  植材カード
Ｔ  植栽デザインツール
【図１】
2020115828.tif 000003
【図２】
2020115828.tif 000004
【図３】
2020115828.tif 000005
【図４】
2020115828.tif 000006
【図５】
2020115828.tif 000007
【図６】
2020115828.tif 000008
【図７】
2020115828.tif 000009
【図８】
2020115828.tif 000010